【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
楽曲のデータを生成する生成回路と、
使用者からの情報入力を受け付ける入力手段と
を有し、
上記入力手段を通じて入力された、上記使用者の身体に関する情報、実行する運動に関する情報、およびその運動中に聴取する楽曲の特性を示す情報に基づいて、上記楽曲のデータを生成する
ようにしたオーディオ信号の生成装置。
【請求項２】
請求項１に記載のオーディオ信号の生成装置において、
上記入力手段を通じて入力された上記運動に関する情報が、運動のテンポ、運動の時間、および運動の種類のうちの少なくとも１つである
ことを特徴とするオーディオ信号の生成装置。
【請求項３】
請求項１に記載のオーディオ信号の生成装置において、
上記入力手段を通じて入力された上記楽曲の特性を示す情報が、リズム、ジャンル、コード進行、調性、曲数、繰り返し回数、および組み合わせの少なくとも１つである
ことを特徴とするオーディオ信号の生成装置。
【請求項４】
請求項１に記載のオーディオ信号の生成装置において、
上記入力手段を通じて入力された上記使用者の身体に関する情報が、身長、体重、年齢、性別、および歩幅のうちの少なくとも１つを含む
ことを特徴とするオーディオ信号の生成装置。
【請求項５】
請求項１に記載のオーディオ信号の生成装置において、
上記使用者が上記生成回路により生成された上記楽曲のデータにより演奏される楽曲に呼応して運動をしたとき、その運動の運動量を算出する算出手段と、
この算出手段により算出された運動量を運動量情報として出力する出力手段とを有するオーディオ信号の生成装置。
【請求項６】
請求項５に記載のオーディオ信号の生成装置において、
上記運動量の情報が、運動時間、運動強度、運動量、消費カロリー、および脂肪燃焼量の少なくとも１つである
ことを特徴とするオーディオ信号の生成装置。
【請求項７】
請求項６に記載のオーディオ信号の生成装置において、
上記楽曲に合わせて使用者が運動を行ったときの楽曲情報、運動量情報、および使用者の身体に関する情報の少なくとも１つを記録する記憶手段
を有するオーディオ信号の生成装置。
【請求項８】
請求項７に記載のオーディオ信号の生成装置において、
上記記憶手段が、光ディスク、光磁気ディスク、磁気テープ、ハードディスク、半導体メモリ、ＩＣカードのいずれかである
ことを特徴とするオーディオ信号の生成装置。
【手続補正２】
【補正対象書類名】明細書
【補正対象項目名】００１０
【補正方法】変更
【補正の内容】
【００１０】
この発明においては、
楽曲のデータを生成する生成回路と、
使用者からの情報入力を受け付ける入力手段と
を有し、
上記入力手段を通じて入力された、上記使用者の身体に関する情報、実行する運動に関する情報、およびその運動中に聴取する楽曲の特性を示す情報に基づいて、上記楽曲のデータを生成する
ようにしたオーディオ信号の生成装置
とするものである。
【手続補正３】
【補正対象書類名】明細書
【補正対象項目名】００１７
【補正方法】変更
【補正の内容】
【００１７】
さらに、生成装置１０は、Ｄ／Ａコンバータ回路３４およびオーディオアンプ３５を有し、Ｄ／Ａコンバータ回路３４はシステムバス２９に接続される。そして、楽曲データ生成回路３３から出力されるデジタルオーディオデータがＤ／Ａコンバータ回路３４に供給されてアナログオーディオ信号にＤ／Ａ変換され、このオーディオ信号がオーディオアンプ３５を通じてヘッドホンジャック１３に取り出され、ヘッドホン４０に供給される。
【手続補正４】
【補正対象書類名】明細書
【補正対象項目名】００２３
【補正方法】変更
【補正の内容】
【００２３】
そして、図３Ｂの確認画面に続いて、生成装置１０は、これから実行する運動についての情報の入力モードとなり、例えば図３Ｃに示すように、ＬＣＤパネル１１には、運動の種類、モード、速度・テンポ、時間の入力欄が表示される。この場合、運動の種類としては、例えば図６Ａに示すように、「ウォーキング」、「ジョギング」、「サイクリング」、「エアロビクス」などがあり、操作キー１２のうちのカーソルキーを押すと、これらの名称が入力欄に順に表示されるので、目的とする運動の種類が表示されたら、操作キー１２のうちの決定キーを押す。
【手続補正５】
【補正対象書類名】明細書
【補正対象項目名】００２６
【補正方法】変更
【補正の内容】
【００２６】
そして、図３Ｄの確認画面に続いて、生成装置１０は、運動中に聴取する楽曲の特性の入力モードとなり、例えば図４Ａに示すように、ＬＣＤパネル１１には、曲調、ジャンル、曲数の入力欄が表示される。この場合、曲調は、楽曲データ生成回路３３が作曲する楽曲の曲調を示すもので、例えば図６Ｅに示すように、「ゆったりと」、「おだやかに」、「静かな」、「明るく」、「軽快に」などがあり、それらの中から選択する。また、ジャンルは、楽曲データ生成回路３３が作曲する楽曲のジャンルを示すもので、例えば図６Ｆに示すように、「ポップス」、「ロック」、「ジャズ」、「ヘビーメタル」などがあり、それらの中から選択する。さらに、曲数は、１回のウォーキング中に（１回の運動中に）作曲させる楽曲の曲数を示す。
【手続補正６】
【補正対象書類名】明細書
【補正対象項目名】００５０
【補正方法】変更
【補正の内容】
【００５０】
続いて、処理はステップ１１６に進み、後述する方法により運動を開始してからの累積の運動量が算出され、次にステップ１１７において、解析回路３２から出力されるパルスの周期およびステップ１１５により求めた経過時間から、運動者の運動の状態が判別され、上記(1)〜(5)項のメッセージのうち、その判別結果に対応したメッセージが選択され、これがＬＣＤパネル１１に表示される。そして、その後、処理はステップ１１２に戻る。
【手続補正７】
【補正対象書類名】明細書
【補正対象項目名】００５８
【補正方法】変更
【補正の内容】
【００５８】
〔４〕  運動量の計算方法の例
運動量の計算方法には各種あるが、例えばＭＥＴＳを用いる計算方法がある。この場合、ＭＥＴＳは、運動による酸素消費量が安静時の何倍になるかを示す指数であり、運動の強度を示す。すなわち、
ＭＥＴＳ＝運動時の酸素摂取量／安静時の酸素摂取量
＝（Ｒ＋Ｈ＋Ｖ）／Ｒ
Ｒ：安静時の酸素摂取量＝3.5〔ml/kg・min〕
Ｈ：水平移動要素
Ｖ：垂直移動要素
である。
【手続補正８】
【補正対象書類名】明細書
【補正対象項目名】００６６
【補正方法】変更
【補正の内容】
【００６６】
したがって、身長170cmの人が、テンポが120BPMで一定の楽曲に合わせて30分間のウォーキングをした場合、その歩行距離は
歩行距離＝170〔cm〕×0.45×120〔回〕／60〔秒〕×30〔分〕×60〔秒〕
＝2.754〔km〕
となる。
以上の数値を運動の結果として表示すると、図５Ａの表示となる。
【手続補正９】
【補正対象書類名】明細書
【補正対象項目名】００６９
【補正方法】変更
【補正の内容】
【００６９】
すなわち、図９Ａは、運動の時間が60分の場合であるが、最初の５分は、テンポを80BPM、楽曲のジャンルをポップス、曲調をゆったり、曲数を１とし、続く10分は、テンポを100BPM、楽曲のジャンルをポップス、曲調をおだやかに、曲数を２とし、続く30分は・・・とするものである。
【手続補正１０】
【補正対象書類名】明細書
【補正対象項目名】００７０
【補正方法】変更
【補正の内容】
【００７０】
また、図７Ｄは、運動モードがランダムモードの場合であるが、このモードの場合には、例えば図９Ｂに示すような組み合わせとすることができる。すなわち、最初の10分は、テンポを80BPM、楽曲のジャンルをポップス、曲調をゆったり、曲数を１とし、続く10分は、テンポを130BPM、楽曲のジャンルをロック、曲調を明るく、曲数を２とし、続く10分は・・・とするものである。
【手続補正１１】
【補正対象書類名】明細書
【補正対象項目名】００７３
【補正方法】変更
【補正の内容】
【００７３】
このため、このパラメータファイルには、構成楽器、リズム、コード進行、演奏スタイル、演奏ルールが格納されている。そして、作曲の条件として、例えば、運動のテンポが120BPM、運動時間が30分、曲調が明るくリズミカル、ジャンルがポップス、曲数が１を指示した場合には、リズムは16ビート、コード進行はメジャーコード（明るく）の中のＣ-Ｆ-Ｇ-Ｃ、コードのみの演奏、リズムを強調（リズミカル）で、テンポが120BPMの楽曲のデータが30分にわたって生成される。
【手続補正１２】
【補正対象書類名】明細書
【補正対象項目名】００７６
【補正方法】変更
【補正の内容】
【００７６】
〔８〕  その他
上述においては、ＣＰＵ２１が、楽曲データの生成に必要なデータを楽曲データ生成回路３３に与えると、以後、楽曲データ生成回路３３は与えられたデータにしたがった楽曲データを自動生成するとしたが、楽曲のテンポや楽曲の時間などは、ＣＰＵ２１が楽曲データ生成回路３３をリアルタイムで制御して目的とする内容とすることもできる。
【手続補正１３】
【補正対象書類名】明細書
【補正対象項目名】００８０
【補正方法】変更
【補正の内容】
【００８０】
〔略語の一覧〕
ＢＭＩ  ：Body Mass Index
BPM     ：Beats Per Minute
ＣＤ    ：Compact Disc
ＣＰＵ  ：Central Processing Unit
Ｄ／Ａ  ：Digital to Analog
ＩＣ    ：Integrated Circuit
ＬＣＤ  ：Liquid Crystal Display
ＭＥＴＳ：Metabolic Equivalents
ＭＩＤＩ：Musical Instrument Digital Interface
ＲＡＭ  ：Random Access Memory
ＲＯＭ  ：Read Only Memory